(57)【要約】【課題】  製品購入直後でも、最新の複数の視聴履歴データに基づき、そのユーザの嗜好に対応した番組推薦が可能な放送受信装置を提供する。【解決手段】  放送信号を受信しこれを復調するチューナ部（１３）と、放送信号の復調信号から電子番組情報を抽出する抽出部（４３）と、設定画面（図８，図９，図１０）を表示し設定画面に対する入力情報を生成する生成部（３４）と、外部のサーバ装置（Ｓ）に入力情報を送信しこれに対応した視聴履歴データ（図１１）をサーバ装置から受信する通信部（１１）と、視聴履歴データと電子番組情報に基づいて推薦番組リスト（図１２）を生成し、推薦番組リストに応じて推薦番組を表示するための番組推薦画面情報（図１３）を生成して出力する嗜好学習部（３４）をもつ放送受信装置。【選択図】図１
2008092216.tif 000002
【特許請求の範囲】
【請求項１】
放送信号を受信しこれを復調するチューナ部と、
前記放送信号の復調信号から電子番組情報を抽出する抽出部と、
設定画面を表示し前記設定画面に対する入力情報を生成する生成部と、
外部のサーバ装置に前記入力情報を送信しこれに対応した視聴履歴データを前記サーバ装置から受信する通信部と、
前記視聴履歴データと前記電子番組情報に基づいて推薦番組リストを生成し、前記推薦番組リストに応じて推薦番組を表示するための番組推薦画面情報を生成して出力する嗜好学習部を具備することを特徴とする放送受信装置。
【請求項２】
前記生成部は、複数のユーザ毎に固有の複数の入力情報を生成することを特徴とする請求項１記載の放送受信装置。
【請求項３】
ユーザ毎に番組を視聴する度に履歴データを保存して作成した視聴履歴データを、前記通信部を介して前記サーバ装置に供給することを特徴とする請求項１記載の放送受信装置。
【請求項４】
前記入力情報は、ユーザの年齢と、年代と、性別と、嗜好ジャンルと、嗜好タレント名の内の少なくとも一つを含むことを特徴とする請求項１記載の放送受信装置。
【請求項５】
外部の放送受信装置と通信を行なう通信部と、
複数の視聴履歴データを格納するデータベース部と、
前記通信部を介して前記放送受信装置からの嗜好の入力情報を受け、前記データベース部の複数の視聴履歴データから、前記入力情報に共通する視聴履歴データを選択し、選択した視聴履歴データを前記通信部を介して前記放送受信装置に送信する処理部と、
を具備することを特徴とするサーバ装置。
【請求項６】
前記処理部は、前記入力情報に基づき、ユーザの嗜好の番組ジャンルとタレント名に関して前記視聴履歴データを選択することを特徴とする請求項５記載のサーバ装置。
【請求項７】
放送信号から電子番組情報を抽出し、
設定画面を表示して前記設定画面に対する入力情報を生成し、
外部のサーバ装置に前記入力情報を送信しこれに対応した視聴履歴データを前記サーバ装置から受信し、
前記視聴履歴データと前記電子番組情報に基づいて推薦番組リストを生成し、前記推薦番組リストに応じて推薦番組を表示するための番組推薦画面を表示することを特徴とする放送受信装置の番組推薦方法。
【請求項８】
前記入力情報は、複数のユーザに応じた複数の入力情報であることを特徴とする請求項７記載の番組推薦方法。
【請求項９】
ユーザ毎に番組を視聴する度に履歴データを保存して作成した視聴履歴データを、前記サーバ装置に供給することを特徴とする請求項７記載の番組推薦方法。
【請求項１０】
前記入力情報は、ユーザの年齢と、年代と、性別と、嗜好ジャンルと、嗜好タレント名の内の少なくとも一つを含むことを特徴とする請求項７記載の番組推薦方法。
【発明の詳細な説明】
【技術分野】
【０００１】
この発明は、放送受信装置に関し、特にユーザの嗜好情報を扱う放送受信装置、サーバ装置及び放送受信装置の番組推薦方法に関する。
【背景技術】
【０００２】
最近、デジタル放送受信装置が開発、普及してきており、その機能も多様化してきている。このようなデジタル放送受信装置においては、例えば、電子番組情報を利用した番組の推薦機能をもつものがあり、更に、ユーザの嗜好に応じて番組の推薦機能を持たせたものが知られている。
【０００３】
特許文献１は、このようなユーザの嗜好に応じた番組推薦機能が示されており、更に、サービス利用開始からユーザに対して効果的な番組の推薦ができるようにするもので、ユーザ属性情報と番組の操作履歴情報とを対応づけたデータベースを蓄積する。これにより、細分化された嗜好グループ毎に各番組の評価値を求めてこれにより番組推薦を行なう。
【特許文献１】特開２００５−３３２０８７公報
【発明の開示】
【発明が解決しようとする課題】
【０００４】
しかし、特許文献１の従来技術では、このデータベースが機器の購入時に予め格納された状態で設けられたものであるため、時間が経過すると最新の番組に対応できないという問題がある。
【０００５】
本発明は、製品購入直後でも、最新の複数の視聴履歴データに基づき、そのユーザの嗜好に対応した番組推薦が可能な放送受信装置、サーバ装置及び放送受信装置の番組推薦方法を提供することを目的とする。
【課題を解決するための手段】
【０００６】
課題を解決するための手段の一実施形態は、放送信号を受信しこれを復調するチューナ部（１３）と、前記放送信号の復調信号から電子番組情報を抽出する抽出部（４３）と、設定画面（図８，図９，図１０）を表示し前記設定画面に対する入力情報を生成する生成部（３４）と、外部のサーバ装置（Ｓ）に前記入力情報を送信しこれに対応した視聴履歴データ（図１１）を前記サーバ装置から受信する通信部（１１）と、前記視聴履歴データと前記電子番組情報に基づいて推薦番組リスト（図１２）を生成し、前記推薦番組リストに応じて推薦番組を表示するための番組推薦画面情報（図１３）を生成して出力する嗜好学習部（３４）と、を具備することを特徴とする放送受信装置である。
【発明の効果】
【０００７】
放送受信装置の購入直後であっても、ユーザの嗜好設定画面に入力することで、この入力情報とサーバ上の複数のユーザの視聴履歴データに基づいて、推薦番組リストを生成し、適確な番組の推薦を行なうことができる放送受信装置を提供する。
【発明を実施するための最良の形態】
【０００８】
以下、この発明の実施の形態について図面を参照して詳細に説明する。
【０００９】
＜本発明の一実施形態に係る放送記録装置＞
（構成）
初めに、図１は、本発明の一実施形態に係る放送記録装置の構成の一例を示すブロック図である。ここでは、本発明の一実施形態に係る放送受信装置を、一例としてハードディスクレコーダ機能をもった光ディスク記録再生装置を用いて説明するが、放送受信装置は、様々な形態が含まれるものであり、それらは全て本発明の実施形態の範囲に含まれるものである。
【００１０】
図１の放送記録装置１０は、２種類のディスクドライブ部を有する。まず、ビデオファイルを構築できる情報記録媒体である第１のメディアとしての光ディスクＤを回転駆動し、情報の読み書きを実行する光ディスクドライブ部１９を有する。又、第２のメディアとしてのハードディスクを駆動するハードディスクドライブ部１８を有する。制御部３０は、全体の動作を司るべくデータバスを介して各部に接続されている。
【００１１】
又、図１の放送記録装置１０は、録画側を構成するエンコーダ部２１と、再生側を構成するＭＰＥＧデコーダ部２３と、装置本体の動作を制御する制御部３０とを主たる構成要素としている。放送記録装置１０は、入力側のセレクタ１６と出力側のセレクタ１７とを有しており、入力側のセレクタ１６には、ＬＡＮ等の通信部１１と、いわゆる衛星放送（ＢＳ／ＣＳ）チューナ部１２と、いわゆる地上波チューナ部１３とが接続され、エンコーダ部２１に信号を出力する。又、ＢＳ／ＣＳチューナ部１２には衛星アンテナが、地上波チューナ部１３には地上波アンテナが接続されている。又、放送記録装置１０は、エンコーダ部２１と、エンコーダ部２１の出力を受け、データ編集等の所望のデータ処理を行うデータ編集部２０、データ編集部２０に接続されるハードディスクドライブ部１８、光ディスクドライブ部１９を有している。更に、放送記録装置１０は、ハードディスクドライブ部１８、光ディスクドライブ部１９からの信号を受けてデコードするＭＰＥＧデコーダ部２３と、エンコーダ部２１、バッファ部２２、ＭＰＥＧデコーダ部２３、多重化部２８、分離部２９、制御部３０、嗜好学習部３４、予約録画部４２、放送信号の復調信号から電子番組情報を抽出して予約リストや番組表画像を生成する番組表生成部４３を有している。これらの各部は、データバスを介して制御部３０に接続されている。更に、セレクタ部１７の出力は、外部の受像機４１に接続されるか、外部装置との通信を行うインタフェース部２７を介して、外部装置に供給される。
【００１２】
更に、放送記録装置１０は、データバスを介して制御部３０に接続され、ユーザの操作やリモコンＲの操作を受ける操作部３２を有している。ここで、リモコンＲは、放送記録装置１０の本体に設けられる操作部３２とほぼ同等の操作を可能とするものであり、ハードディスクドライブ部１８や光ディスクドライブ部１９の記録再生指示や、編集指示、又、チューナの操作、予約録画の設定等、各種設定が可能である。
【００１３】
（動作）
・基本動作
このような構成の放送記録装置１０において、光ディスクに例を取って、再生処理と記録処理の概要を説明すると、制御部３０の制御下において、所定速度に回転される光ディスクＤは、レーザ光が照射されその反射光が光ピックアップにより検出され、これに基づく検出信号が出力される。この検出信号に基づいて、ＲＦ信号が生成され、データの読取処理に続いて再生処理が行われる。
【００１４】
又、光ディスクの記録処理は、制御部３０の制御下において、例えば図示しない入力部を介しセレクタ部１６を介して供給されたデータは、エンコーダ部２１に供給され、コード化されて出力される。このコード化出力と制御部３０の出力に応じて、レーザドライバの駆動電流が光ピックアップに供給され、光ディスクＤの記憶領域に照射することで、記録処理が行われるものである。
【００１５】
・記録処理等
次に、このような構成を有する放送記録装置１０の動作を、更に詳細に説明する。初めに、主に記録時の動作について、他の実施形態も含めて詳細に説明する。放送記録装置１０の入力側として、ＬＡＮ等の通信部１１は、外部機器と接続して、例えばモデムＭ等を介しインターネット等の通信路を経由して番組情報提供サーバ装置Ｓ等と通信を行ったり、コンテンツ情報等をダウンロードしたりする。又、ＢＳ／ＣＳチューナ部１２、地上波チューナ部１３は、アンテナを介して放送信号を選局し復調して映像信号及び音声信号を入力するもので、広範な種類の放送信号に対応する。例えば、地上波アナログ放送、地上波デジタル放送、ＢＳアナログ放送、ＢＳデジタル放送、ＣＳデジタル放送等に及ぶものであり、これに限るものではない。又、必ずしも一つだけを設けるものではなく、例えば、地上波アナログ放送のチューナ部や、ＢＳ／ＣＳチューナ部を２つ又は３つ以上を有し、予約録画の要求に応じて平行して機能させる場合も含んでいる。
【００１６】
ここで図１の装置は、エンコーダ部２１でエンコードされた情報（ビデオ、オーディオ、副映像データなどのパック）及び作成された管理情報を、制御部３０を介してハードディスクドライブ部１８又は光ディスクドライブ部１９に供給し、ハードディスクドライブ部１８、又は、光ディスクＤに記録することができる。又、ハードディスクドライブ部１８、又は、光ディスクＤに記録された情報を、制御部３０、光ディスクドライブ部１９を介して光ディスクＤ、又は、ハードディスクドライブ部１８に記録することもできる。
【００１７】
・再生処理等  
次に、主に記録された情報の再生処理について、他の実施形態も含めて詳細に説明する。ＭＰＥＧデコーダ部２３は、デコードされた主映像にデコードされた副映像を適宜合成し、主映像にメニュー、ハイライトボタン、字幕やその他の副映像を重ねて出力するビデオプロセッサを備えている。
【００１８】
ＭＰＥＧデコーダ部２３の出力オーディオ信号は、セレクタ部１７を介して図示しないデジタルアナログ変換器でアナログ変換されてスピーカに供給されるか、Ｉ／Ｆ部２７を介して外部装置に供給される。セレクタ部１７は、制御部３０からのセレクト信号により制御される。これによりセレクタ部１７は、各チューナ部１２，１３からのデジタル信号を直接モニタする時、エンコーダ部２１をスルーした信号を直接選択することも可能である。
【００１９】
・予約録画処理
次に、通信部１１等から取得した電子番組情報に基づいて、ユーザのリモコンＲ等の操作により特定した番組に応じて、録画予約処理が可能である。予約された予約録画情報に基づいて、制御部３０及び予約録画部４２の働きにより、予約時刻になると、ＢＳ／ＣＳチューナ部１２又は地上波チューナ部１３が受信した番組情報が復調された映像音声信号が、エンコーダ２１等のエンコード処理を経て、例えば、ハードディスクドライブ１８に記録（予約録画）される。
【００２０】
この実施形態の放送記録装置１０は、このように総合的な機能を有するものであり、多くのソースに対して光ディスクＤ又はハードディスクドライブ部１８による記録・再生処理を行うものである。
【００２１】
（サーバ装置の構成）
サーバ装置Ｓは、一例として、図１に示すように、多くの放送受信装置１０の複数のユーザから供給される視聴履歴データを格納しているデータベース部５１と、放送受信装置１０からの入力情報に基づいて、上記の複数ユーザの複数視聴履歴データから的確な複数視聴履歴データを出力させる視聴履歴データ処理部５２と、外部装置と通信を行なうＩ／Ｆ部５３とからなる。
【００２２】
＜電子番組情報とサーバ装置を利用した番組推薦処理＞
次に、上述した放送受信装置における電子番組情報とサーバ装置を利用した番組推薦処理をフローチャートを用いて以下に詳細に説明する。
【００２３】
（概要）
初めに、本発明の一実施形態である放送受信装置が行なう電子番組情報とサーバ装置を利用した番組推薦処理の概要を図面を用いて説明する。図２は、本発明の一実施形態に係る放送受信装置の嗜好学習機能の動作の一例を示す説明図、図３は、同じく嗜好学習機能の動作の一例を示す説明図である。
【００２４】
また、図８乃至図１０は、本発明の一実施形態に係る放送受信装置における初期設定処理画面の一例を示す説明図、図１１は、同じく視聴履歴データの一例を示す説明図、図１２は、同じく推薦番組リストの一例を示す説明図、図１３は、同じく推薦画面の一例を示す説明図である。
【００２５】
すなわち、本発明の一実施形態である電子番組情報とサーバ装置を利用した番組推薦処理は、放送受信装置を購入直後においても、ユーザの嗜好に合わせた番組推薦処理を可能とするものである。すなわち、図２及び図３に示すように、ユーザの推薦番組設定（番組の嗜好の設定）画面（図８乃至図１０）に対して入力していき、この入力情報をサーバ装置Ｓに送信する。サーバ装置Ｓでは、サーバ装置Ｓで検出した複数の視聴履歴データをサーバ装置Ｓで合成して、クラアアントの放送受信装置１０に転送するものである。
【００２６】
放送受信装置１０では、この転送された視聴履歴データ（図１１）１００に応じた推薦番組リスト（図１２）１０１を電子番組情報に比較することで生成する。そして、その時々の電子番組情報とこの推薦番組リスト（図１２）とを比較処理１０３することで、推薦すべき番組を示した番組推薦画面（図１３）１０４を画面表示する。
【００２７】
これにより、ユーザは、放送受信装置１０を購入直後でそのユーザの視聴履歴データが全くない段階でも、ユーザの嗜好に合わせた番組推薦処理が可能となるものである。
【００２８】
（初期設定処理）
次に、ユーザの推薦番組設定画面（図８乃至図１０）に対して入力することで、放送受信装置の購入直後に行なわれる初期設定処理を、図面を用いて詳細に説明する。図４は、同じく嗜好学習機能の初期設定処理の一例を示すフローチャートである。
【００２９】
なお、以下の図４乃至図７のフローチャートの各ステップは、回路ブロックに置き換えることができ、従って、各フローチャートのステップは、全てブロックに定義しなおすことが可能である。
【００３０】
初めに、放送受信装置は、ユーザの操作部３２の操作に従って、制御部３０及び嗜好学習部３４の制御のもと、図８乃至図１０のユーザの推薦番組設定画面を表示していく（ステップＳ１２）。すなわち、図８に示すような好きなジャンル（嗜好ジャンル）の設定画面を表示し（ステップＳ１３）、適宜ユーザの入力の後に『次へ』を指定されると、図９に示すような好きなタレント名（嗜好タレント名）の設定画面を表示する（ステップＳ１４）。同様に、適宜ユーザの入力の後に『次へ』を指定されると、図１０に示すようなユーザの視聴スタイルに応じた嗜好タイプの選択画面を表示する（ステップＳ１５）。最後に、『入力情報の作成』のボタンが押下されると（ステップＳ１６）、制御部３０及び嗜好学習部３４は、ユーザにより入力された諸情報、即ち、ユーザの好きなジャンルと好きなタレントと嗜好タイプ等の入力情報をサーバ装置Ｓへ送信する（ステップＳ１７）。
【００３１】
なお、ここで、『タレント名』とは、番組出演する芸能人、有名人等の人名、芸名、グループ名等を意味している。
【００３２】
また、嗜好ジャンルとは、単に好みの番組ジャンル又は広い意味のジャンルを指すとともに、広い意味での好き嫌いを含めるものであり、逆に嫌いなジャンルが何かという情報も含めることが好適である。
【００３３】
また、嗜好タレント名とは、単に好みのタレント名を指すとともに、広い意味での好き嫌いを含めるものであり、逆に嫌いなタレント名が何かという情報も含めることが好適である。
【００３４】
また、このユーザの入力情報は、おとうさん、おかあさん、お兄さん、お姉さん等の複数のユーザを設定し、この設定された複数のユーザ毎に固有の情報として生成されるものである。
【００３５】
また、このユーザの入力情報は、一例として、ユーザの年齢、年代、性別、ユーザの嗜好ジャンル、ユーザの嗜好タレント名を含んでいるが、これに限るものではない。
【００３６】
（視聴履歴データ作成処理）  
次に、サーバ装置Ｓにおいて、放送受信装置１０から受信した入力情報に基づいて行なわれる最適な視聴履歴データの作成処理について、図面を用いて説明する。図５は、同じく嗜好学習機能のためのサーバ装置での視聴履歴データ作成処理の一例を示すフローチャートである。
【００３７】
初めに、サーバ装置Ｓでは、図５に示すように、放送受信装置１０からＩ／Ｆ部５３を介して、少なくともユーザの好きなジャンルと好きなタレントと嗜好タイプの入力情報を受信する（ステップＳ２１）。視聴履歴データ処理部５２は、サーバ装置Ｓのデータベース部５１からこの入力情報が示す嗜好情報（好きなジャンル、好きなタレント、嗜好タイプ）で検索して適合する視聴履歴データを抜き出す（ステップＳ２２）。
【００３８】
次に、視聴履歴データ処理部５２は、この入力情報に適合して抜き出された全ての視聴履歴データに対して、１番組ずつ視聴履歴データを比較する（ステップＳ２３）。
【００３９】
以降、全ての視聴履歴データについて、ループを設定して、１番組ずつの比較を行なう（ステップＳ２４）。そして、視聴履歴データ処理部５２は、条件に適合した視聴履歴データについて、一定割合以上同一の番組を視聴しているかを調べる（ステップＳ２５）。そのような番組があれば、視聴履歴データを新規作成し、視聴履歴データの視聴情報欄を『視聴した』と記録する（ステップＳ２６）。このようなループ１をステップＳ２４の間で反復する（ステップＳ２７）。
【００４０】
このような処理を条件に適合した全ての視聴履歴データに対して行なうことで、図１１に示すような、ユーザの嗜好を反映させた視聴履歴データを作成する（ステップＳ２８）。この視聴履歴データのユーザ嗜好の反映方法は、色々な方法があるが、一例として、一定回数以上反復して視聴されている番組名や一定回数以上反復して視聴されているタレント名のリストを作成することが好適である。
【００４１】
サーバ装置Ｓでは、視聴履歴データ処理部５２で、このようにして放送受信装置１０からの入力情報に対応した視聴履歴データを作成すると、Ｉ／Ｆ部５３を介してこの視聴履歴データを放送受信装置１０に返送する。これにより、放送受信装置１０は、最新の複数ユーザの視聴履歴データのデータベースに基づく、最適の視聴履歴データを入手することができる。
【００４２】
（推薦番組リスト作成処理）  
次に、放送受信装置１０で行なわれる、サーバ装置Ｓから入手した視聴履歴データに基づいて推薦番組リストを作成する処理について、図面を用いて説明する。図６は、本発明の一実施形態に係る放送受信装置における視聴履歴データを用いた推薦番組リスト作成処理の一例を示すフローチャートである。  
すなわち、放送受信装置１０では、サーバ装置Ｓで作成した視聴履歴データを通信部１１を介して嗜好学習部３４にダウンロードする（ステップＳ３１）。そして、嗜好学習部３４は、サーバ装置Ｓで作成した視聴履歴データを嗜好学習プログラムに入力する（ステップＳ３２）。
【００４３】
嗜好学習部３４の嗜好学習プログラムでは、視聴履歴データを統計処理等して（ステップＳ３３）、推薦番組リストを作成するのに好都合な嗜好モデルデータを作成する（ステップＳ３４）。この嗜好モデルデータは、一例として、番組名、番組ジャンル、タレント名、番組傾向等の要素を統計処理したものである。そして、嗜好学習部３４は、嗜好モデルデータを嗜好学習プログラムに入力する（ステップＳ３５）。
【００４４】
しかし、必ずしも視聴履歴データを嗜好モデルデータに変換する必要はなく、視聴履歴データをそのまま以降のＥＰＧデータとの比較処理を行なうことでもよい。
【００４５】
次に、予測用ファイル（未来１週間分のＥＰＧデータ）を嗜好学習プログラムに入力する（ステップＳ３６）。そして、嗜好学習部３４の嗜好学習プログラムを動作させ、嗜好モデルデータ（又は視聴履歴データ）とＥＰＧデータとを比較処理して、推薦処理を行い（ステップＳ３７）、図１２に示すような推薦番組リストを作成して出力する（ステップＳ３８）。この図１２の推薦番組リストは、電子番組情報内に存在したユーザの嗜好に対応した番組のリストであり、番組タイトル、ゲスト名、可能性度数等が示されている。
【００４６】
（番組推薦表示処理）  
次に、放送受信装置１０で行なわれる、推薦番組リストを用いた番組推薦表示処理について、図面を用いて説明する。図７は、本発明の一実施形態に係る放送受信装置における推薦番組リストを用いた番組推薦表示処理の一例を示すフローチャートである。
【００４７】
放送受信装置１０の嗜好学習部３４では、作成した推薦番組リスト（図１２）を例えば１分毎にチェックする（ステップＳ４１）。すなわち、嗜好学習部３４は、例えば、５分後の電子番組情報に推薦番組リストの番組が存在するかどうかを確認する（ステップＳ４２）。推薦番組リストの番組が存在すれば、図１３に示すような『もうすぐ推薦番組が始まります』等の番組推薦画面１１２の画像情報を生成して、テレビ画面１１１中に表示する（ステップＳ４３）。
【００４８】
存在しなければ、ステップＳ４４のループ処理のエンドに進んでステップＳ４１から動作を繰り返す（ステップＳ４４）。
【００４９】
こうすることで、ユーザは、テレビジョン購入直後から、自身の嗜好に合致した番組が始まることをテレビ画面上で知ることができる。
【００５０】
なお、推薦番組リストの利用方法は、これに限定されるものではない。例えば、上述したハードディスクレコーダである放送受信装置１０において、予約録画部４２と連携することで、ユーザの逐一の指示が無くとも、ユーザの自動推薦予約の設定に応じて、電子番組情報に含まれる推薦番組リストの番組について、予約録画部４２で自動的に予約録画を行なうことが好適である。
【００５１】
又、同様に、上述したハードディスクレコーダである放送受信装置１０において、嗜好学習部３４と、予約録画部４２と、番組表生成部４３との働きを連携させることで、ユーザの嗜好に合致した番組を予約することを提案する画面を生成し、これをユーザに告知することが好適である。これによりユーザは、自身の嗜好に合致した番組の予約を容易に行なうことが可能となる。
【００５２】
（ユーザの視聴履歴データの送信）
なお、上述した放送受信装置１０では、上述した嗜好学習機能を利用するべく、各ユーザの放送受信装置１０の視聴履歴データを定期的にサーバ装置Ｓに送信することが必要となる。これに応じて、放送受信装置１０の嗜好学習部３４は、制御部３０等に登録された複数のユーザ毎に視聴履歴データを保存しておき、定期的に通信部１１を介して、サーバ装置Ｓへ視聴履歴データを送信するものである。これにより、サーバ装置Ｓのデータベース部５１には、多くのユーザの視聴履歴データが蓄積することになり、本発明の一実施形態に係る嗜好学習機能の有効性を確実なものとするものである。
【００５３】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５４】
【図１】本発明の一実施形態に係る放送受信装置の構成の一例を示すブロック図。
【図２】本発明の一実施形態に係る放送受信装置の嗜好学習機能の動作の一例を示す説明図。
【図３】本発明の一実施形態に係る放送受信装置の嗜好学習機能の動作の一例を示す説明図。
【図４】本発明の一実施形態に係る放送受信装置の嗜好学習機能の初期設定処理の一例を示すフローチャート。
【図５】本発明の一実施形態に係る放送受信装置の嗜好学習機能のためのサーバ装置での視聴履歴データ作成処理の一例を示すフローチャート。
【図６】本発明の一実施形態に係る放送受信装置における視聴履歴データを用いた推薦番組リスト作成処理の一例を示すフローチャート。
【図７】本発明の一実施形態に係る放送受信装置における推薦番組リストを用いた番組推薦表示処理の一例を示すフローチャートである。
【図８】本発明の一実施形態に係る放送受信装置における初期設定処理画面の一例を示す説明図。
【図９】本発明の一実施形態に係る放送受信装置における初期設定処理画面の一例を示す説明図。
【図１０】本発明の一実施形態に係る放送受信装置における初期設定処理画面の一例を示す説明図。
【図１１】本発明の一実施形態に係る放送受信装置における視聴履歴データの一例を示す説明図。
【図１２】本発明の一実施形態に係る放送受信装置における推薦番組リストの一例を示す説明図。
【図１３】本発明の一実施形態に係る放送受信装置における推薦画面の一例を示す説明図。
【符号の説明】
【００５５】
１１…通信部、１２…ＢＳ／ＣＳチューナ部、１３…地上波チューナ部、１８…ハードディスクドライブ部、１９…光ディスクドライブ部、２０…データ編集部、２１…エンコーダ部、２２…バッファ部、２３…ＭＰＥＧデコーダ部、２４…音声映像処理部、２６…ディスプレイ、２７…Ｉ／Ｆ部、２８…多重化部、２９…分離部、３０…制御部、３２…操作部、３３…表示部、３４…嗜好学習部、４２…予約録画部、４３…番組表生成部、Ｒ…リモコン。
【図１】
2008092216.tif 000003
【図２】
2008092216.tif 000004
【図３】
2008092216.tif 000005
【図４】
2008092216.tif 000006
【図５】
2008092216.tif 000007
【図６】
2008092216.tif 000008
【図７】
2008092216.tif 000009
【図８】
2008092216.tif 000010
【図９】
2008092216.tif 000011
【図１０】
2008092216.tif 000012
【図１１】
2008092216.tif 000013
【図１２】
2008092216.tif 000014
【図１３】
2008092216.tif 000015